【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】
センタと、該センタと通信ネットワークを介して接続された、少なくとも患者に関する情報と該患者に対する処方箋を示す処方箋情報とが対応付けられた患者情報を蓄積している外部端末と、患者端末と、から構成され、処方箋に基づく医薬品の服用を督促するための医薬品服用督促通知システムであり、
前記センタは、
医薬品に関する情報を蓄積する医薬品情報蓄積部と、
前記外部端末から患者情報を取得する患者情報取得部と、
前記患者情報取得部が取得した患者情報に含まれる処方箋情報に基づいて、前記医薬品情報蓄積部から当該患者が服用する医薬品に関する情報を取得する医薬品情報取得部と、
前記医薬品情報取得部が取得した医薬品に関する情報を、当該患者の患者端末に送信する医薬品情報送信部と、
を備える、ことを特徴とする医薬品服用督促通知システム。
【請求項２】
前記医薬品に関する情報は、当該医薬品の服用すべき時期を示す服用時期情報を含み、
前記医薬品情報送信部は、前記服用時期情報に基づいて、医薬品を服用すべき時期に応じた所定期間内に、前記医薬品に関する情報を繰り返し送信する、
ことを特徴とする請求項１に記載の医薬品服用督促通知システム。
【請求項３】
前記医薬品情報送信部は、
前記患者端末に送信した医薬品に関する情報に対する返信情報を該患者端末から受信する返信受信部をさらに備え、
前記返信受信部による前記返信情報の受信を契機に、前記患者端末への前記医薬品に関する情報の送信を停止する、
ことを特徴とする請求項２に記載の医薬品服用督促通知システム。
【請求項４】
前記医薬品に関する情報は、当該医薬品による副作用に関する情報および該副作用の発現時期を示す副作用情報を含み、
前記医薬品情報送信部は、前記患者端末に送信した医薬品に関する情報に前記副作用情報が含まれている場合、当該副作用に関する情報をその副作用の発現時期に応じて前記患者端末に送信する、
ことを特徴とする請求項１乃至３のいずれか１項に記載の医薬品服用督促通知システム。
【請求項５】
前記患者端末は、移動体通信端末であり、
前記医薬品情報送信部は、前記患者端末に送信すべき情報を示す電子メールを作成し、前記移動体通信端末に送信する、
ことを特徴とする請求項１乃至４のいずれか１項に記載の医薬品服用督促通知システム。
【請求項６】
処方箋に基づく医薬品の服用時期を患者に通知するための医薬品服用督促通知方法であって、
医薬品とその適正な服用時期とを示す医薬品情報を蓄積する医薬品情報蓄積ステップと、
患者に関する情報と該患者に対する処方箋情報とを対応付けて蓄積する患者情報蓄積ステップと、
前記患者情報蓄積ステップで蓄積された患者情報を通信ネットワークを介して取得する患者情報取得ステップと、
前記患者情報取得ステップで取得された患者情報に基づき、当該患者が服用すべき医薬品の医薬品情報を取得する医薬品情報取得ステップと、
前記医薬品情報取得ステップで取得した医薬品情報を、該医薬品情報に示される適正な服用時期に応じた所定期間内に、前記患者情報取得ステップで取得した患者情報に示される患者の端末に前記通信ネットワークを介して送信することで当該患者に医薬品の服用時期を通知する服用時期通知ステップと、
を備える、ことを特徴とする医薬品服用督促通知方法。
【請求項７】
前記服用時期通知ステップは、前記患者に前記医薬品情報が通知されたことを示す確認情報を前記通信ネットワークを介して受信するまで、前記医薬品情報を所定時間毎に繰り返し前記患者の端末に送信する、
ことを特徴とする請求項６に記載の医薬品服用督促通知方法。
【請求項８】
前記医薬品情報は、医薬品による副作用に関する情報と該副作用の発現時期とを示す情報を含んだ副作用情報を含み、
前記服用時期通知ステップで送信された医薬品情報に該副作用情報が含まれる場合、当該副作用情報に示される発現時期に応じて、前記通信ネットワークを介して前記患者の端末に該副作用情報を送信することで、当該患者に副作用が発現する可能性があることを通知する副作用通知ステップをさらに備える、
ことを特徴とする請求項６または７に記載の医薬品服用督促通知方法。
【請求項９】
少なくとも患者に関する情報と該患者に対する処方箋情報とを対応付けられた患者情報を蓄積している外部端末および患者端末とに通信ネットワークを介して接続された管理センタであり、
前記通信ネットワークとの接続を確立する接続部と、
医薬品に関する情報を蓄積する医薬品情報蓄積部と、
前記接続部を制御し、前記外部端末から患者情報を取得する患者情報取得部と、
前記接続部を制御し、前記患者情報取得部が取得した医薬品情報を、該医薬品情報に示される服用時期に応じた所定期間に繰り返し該患者情報に指定された患者端末に送信する医薬品情報送信部と、
前記接続部を制御することで前記医薬品情報送信部が送信した医薬品情報に対する返信情報を受信し、該返信情報の受信を契機に前記医薬品情報送信部を制御して前記医薬品情報の送信を停止させる送信制御部と、
を有することを特徴とする管理センタ。
【請求項１０】
前記医薬品情報は、当該医薬品による副作用を示す情報と当該副作用の発現時期とを示す副作用情報を含み、
前記医薬品情報送信部が送信した医薬品情報に、前記副作用情報が含まれている場合、前記接続部を制御し、該副作用情報に示される発現時期に応じて、該副作用情報を前記患者情報に指定された患者端末に送信する副作用情報送信部をさらに備える、ことを特徴とした請求項９に記載の管理センタ。
【請求項１１】
コンピュータに、
通信ネットワークとの接続を確立する接続機能と、
前記接続機能を制御し、前記通信ネットワークに接続された他のコンピュータから患者に関する情報と該患者に対する処方箋を示す処方箋情報とが対応付けられた患者情報と、医薬品とその適正な服用時期とを示す医薬品情報とを取得する情報取得機能と、
前記接続機能を制御し、前記情報取得機能が取得した医薬品情報を、該医薬品情報に示される服用時期に応じた所定期間に繰り返し該患者情報に指定された端末に送信する医薬品情報送信機能と、
前記接続機能を制御することで前記医薬品情報送信機能が送信した医薬品情報に対する返信情報を受信し、該返信情報の受信を契機に前記医薬品情報送信機能を制御し、前記医薬品情報の送信を停止させる送信制御機能と、
を実現させるためのプログラム。
【請求項１２】
前記コンピュータに、
前記接続機能を制御し、前記通信ネットワークに接続された前記他のコンピュータから、前記医薬品情報に対応付けられ、該医薬品による副作用とその発現時期とを示す副作用情報を取得する副作用情報取得機能と、
前記医薬品情報送信機能が送信する医薬品情報に、前記副作用情報が対応付けられている場合、前記接続機能を制御し、該副作用情報に示される発現時期に応じて、該副作用情報を前記患者情報に指定された端末に送信する副作用情報送信機能と、
を実現させるための請求項１１に記載のプログラム。
【手続補正２】
【補正対象書類名】明細書
【補正対象項目名】００２０
【補正方法】変更
【補正の内容】
【００２０】
上記目的を達成するため、本発明の第４の観点にかかるプログラムは、
コンピュータに、
通信ネットワークとの接続を確立する接続機能と、
前記接続機能を制御し、前記通信ネットワークに接続された他のコンピュータから患者に関する情報と該患者に対する処方箋を示す処方箋情報とが対応付けられた患者情報と、医薬品とその適正な服用時期とを示す医薬品情報とを取得する情報取得機能と、
前記接続機能を制御し、前記情報取得機能が取得した医薬品情報を、該医薬品情報に示される服用時期に応じた所定期間に繰り返し該患者情報に指定された端末に送信する医薬品情報送信機能と、
前記接続機能を制御することで前記医薬品情報送信機能が送信した医薬品情報に対する返信情報を受信し、該返信情報の受信を契機に前記医薬品情報送信機能を制御し、前記医薬品情報の送信を停止させる送信制御機能と、
を実現させることを特徴とする。
【手続補正３】
【補正対象書類名】明細書
【補正対象項目名】００２１
【補正方法】変更
【補正の内容】
【００２１】
上記プログラムは、
前記コンピュータに、
前記接続機能を制御し、前記通信ネットワークに接続された前記他のコンピュータから、前記医薬品情報に対応付けられ、該医薬品による副作用とその発現時期とを示す副作用情報を取得する副作用情報取得機能と、
前記医薬品情報送信機能が送信する医薬品情報に、前記副作用情報が対応付けられている場合、前記接続機能を制御し、該副作用情報に示される発現時期に応じて、該副作用情報を前記患者情報に指定された端末に送信する副作用情報送信機能と、
を実現させることが望ましい。